(57)【要約】【課題】  光透過性を有する透光部を目立ちにくくして、透光部の鏡面としての機能を確保することができる鏡を提供する。【解決手段】  鏡１は、ガラス基材２と、反射膜３と、保護膜４と、透光部５とを備える。透光部５は、反射膜３及び保護膜４に厚み方向に沿って形成された複数の貫通孔５１を有する。反射膜３の表面３１には複数の貫通孔５１のそれぞれの第１開口５１１が形成されている。そして、複数の第１開口５１１の反射膜３の表面３１に沿った一方向の寸法である幅寸法Ｌ１がそれぞれ０．０１［ｍｍ］以上、１［ｍｍ］以下の範囲内に設定されている。【選択図】図２
2019017559.tif 000002
【特許請求の範囲】
【請求項１】
ガラス基材と、
前記ガラス基材の裏面に設けられている反射膜と、
前記反射膜の裏面に設けられている保護膜と、
前記反射膜の表面側と前記保護膜の裏面側との間に光が通過する経路を形成する１つ以上の透光部と、を備え、
前記１つ以上の透光部は、前記反射膜及び前記保護膜に厚み方向に沿って形成された複数の貫通孔を有し、
前記反射膜の表面には前記複数の貫通孔のそれぞれの開口が形成されており、
前記複数の開口の前記反射膜の表面に沿った一方向の寸法である幅寸法がそれぞれ０．０１［ｍｍ］以上、１［ｍｍ］以下の範囲内に設定されている
ことを特徴とする鏡。
【請求項２】
前記複数の開口のうち少なくとも１つの開口は円形状であり、前記幅寸法は当該開口の直径であることを特徴とする請求項１記載の鏡。
【請求項３】
前記複数の開口のうち少なくとも１つの開口は楕円形状であり、前記幅寸法は当該開口の短径であることを特徴とする請求項１または２記載の鏡。
【請求項４】
前記複数の開口のうち少なくとも１つの開口は線形状であり、前記幅寸法は当該開口の線幅であることを特徴とする請求項１乃至３のいずれか一項に記載の鏡。
【請求項５】
前記複数の開口は、前記反射膜の表面において、１つ以上の文字、記号、図形のいずれかを表す所定形状となるように配置されていることを特徴とする請求項１乃至４のいずれか一項に記載の鏡。
【請求項６】
前記複数の開口のうち隣り合う２つの開口の離間距離は、０．０１［ｍｍ］以上かつ２［ｍｍ］以下の範囲内に設定されていることを特徴とする請求項１乃至５のいずれか一項に記載の鏡。
【請求項７】
前記複数の開口は、２つ以上の外側開口と２つ以上の内側開口とで構成されており、
前記２つ以上の外側開口は、前記所定形状の輪郭に沿って並んで配置されており、
前記２つ以上の内側開口は、前記輪郭の内部に配置されており、
前記２つ以上の外側開口のうち隣り合う２つの外側開口の離間距離は、０．０１［ｍｍ］以上かつ５［ｍｍ］以下の範囲内に設定されており、
前記２つ以上の内側開口のうち隣り合う２つの内側開口の離間距離は、０．０１［ｍｍ］以上かつ２［ｍｍ］以下の範囲内に設定されている
ことを特徴とする請求項５記載の鏡。
【請求項８】
前記複数の開口は、前記所定形状の輪郭に沿って並んで配置されており、前記複数の開口のうち隣り合う２つの開口の離間距離は、０．０１［ｍｍ］以上かつ５［ｍｍ］以下の範囲内に設定されていることを特徴とする請求項５記載の鏡。
【請求項９】
前記１つ以上の透光部は、複数の透光部であり、
前記複数の透光部は、透光率が互いに異なるように形成されている
ことを特徴とする請求項１乃至８のいずれか一項に記載の鏡。
【発明の詳細な説明】
【技術分野】
【０００１】
本発明は、鏡に関する。
【背景技術】
【０００２】
従来、裏面側から光を透過させることができる鏡が知られている（例えば特許文献１参照）。
【０００３】
特許文献１に開示されている鏡は、正面視における一部に透孔部を有している。鏡の裏面側には発光素子が配置されており、発光素子が点灯すると、発光素子から発せられた光は、透孔部を通って鏡の前方を照らす。
【先行技術文献】
【特許文献】
【０００４】
【特許文献１】実用新案登録第３１３３６３０号公報
【発明の概要】
【発明が解決しようとする課題】
【０００５】
特許文献１に開示されている鏡は、透光部を備えることによって鏡の一部に光透過性を持たせている。しかしながら、特許文献１に開示されている鏡では、透光部が鏡面として機能しないという問題点があった。すなわち、点灯部が消灯している場合、鏡の表面側に入射する光が透孔部で反射しないために、透光部が鏡面として機能せず、例えば化粧時等の使用には耐え得ないものであった。さらには、点灯部が消灯している場合、透光部が黒く見えて見栄えが悪いという問題点もあった。
【０００６】
本発明の目的とするところは、光透過性を有する透光部を目立ちにくくして、透光部の鏡面としての機能を確保することができる鏡を提供することにある。
【課題を解決するための手段】
【０００７】
本発明の一態様に係る鏡は、ガラス基材と、前記ガラス基材の裏面に設けられている反射膜と、前記反射膜の裏面に設けられている保護膜と、前記反射膜の表面側と前記保護膜の裏面側との間に光が通過する経路を形成する１つ以上の透光部と、を備える。前記１つ以上の透光部は、前記反射膜及び前記保護膜に厚み方向に沿って形成された複数の貫通孔を有し、前記反射膜の表面には前記複数の貫通孔のそれぞれの開口が形成されている。前記複数の開口の前記反射膜の表面に沿った一方向の寸法である幅寸法がそれぞれ０．０１［ｍｍ］以上、１［ｍｍ］以下の範囲内に設定されている。
【発明の効果】
【０００８】
本発明では、光透過性を有する透光部を目立ちにくくして、透光部の鏡面としての機能を確保することができるという効果がある。
【図面の簡単な説明】
【０００９】
【図１】図１Ａは、実施形態に係る鏡の正面図である。図１Ｂは、鏡の側面図である。
【図２】図２は、同上の鏡の一部を示す断面図である。
【図３】図３Ａは、同上の鏡の一部を示す拡大正面図である。図３Ｂは、同上の鏡の透光部の一部を示す拡大図である。
【図４】図４Ａは、同上の第１変形例の鏡の透光部を示す正面図である。図４Ｂは、同上の第１変形例の別の透光部を示す正面図である。
【図５】図５は、同上の第２変形例の鏡の一部を示す拡大正面図である。
【図６】図６Ａは、同上の第３変形例の鏡の一部を示す拡大正面図である。図６Ｂは、同上の第３変形例の別の鏡の一部を示す拡大正面図である。図６Ｃは、同上の第５変形例の鏡の一部を示す拡大正面図である。
【図７】図７Ａは、同上の第４変形例の鏡の透光部を示す正面図である。図７Ｂは、同上の第４変形例の別の透光部を示す正面図である。
【図８】図８は、同上の第６変形例の鏡の一部を示す断面図である。
【図９】図９は、同上の第７変形例の鏡の一部を示す拡大正面図である。
【発明を実施するための形態】
【００１０】
以下の実施形態は、一般に、鏡に関する。さらに詳しくは、ガラス基材、反射膜、保護膜を備える鏡に関する。
【００１１】
図１Ａ、図１Ｂ、図２は、鏡１の構成を示す。以下において、表面側とは、光が鏡１に反射して虚像が見える側であり、裏面側とはその反対側であって虚像が見えない側である。なお、以下の説明では、特に断りのない限り、図１Ａにおいて、左右、上下の各方向が規定されている。
【００１２】
鏡１は、ガラス基材２と、反射膜３と、保護膜４とを、主構成として備える。
【００１３】
ガラス基材２は、光を透過させる所定の厚みのガラス板により構成される。ガラス基材２の正面視における形状及び広さが、鏡１の正面視における形状及び広さを決める。ガラス基材２の表面２１及び裏面２２は平面である。
【００１４】
ガラス基材２は、その厚みは特に限定されず、また、厚みが一定であることが好ましいが、必ずしも厚みが一定でなくてもよい。また、ガラス基材２の表面２１及び裏面２２は、平面度ができるだけ高いことが好ましいが、平面度は特定の値または範囲に限定されない。また、ガラス基材２の表面２１または裏面２２の正面視における一部に他の部分に比べて平面度が低い部分が存在してもよい。また、ガラス基材２の組成は、特に限定されない。また、ガラス基材２の表面２１または裏面２２は曲面であってもよい。
【００１５】
反射膜３は、ガラス基材２の裏面２２に設けられており、反射膜３の表面３１がガラス基材２の裏面２２に接している。反射膜３としては、ガラス基材２の裏面２２に直接設けられる銀の膜と、銀の膜の裏面に設けられる銅の膜とからなるものが好適に用いられる。反射膜３は、ガラス基材２の裏面２２の全面にわたって設けられるのが好ましいが、必ずしも全面にわたって設けられなくてもよい。また、反射膜３の材質は銀または銅に限定されず、他の金属をはじめとする公知の反射膜としての材質が適宜利用可能である。また、反射膜３の厚みは特に限定されない。
【００１６】
保護膜４は、反射膜３の裏面３２に設けられており、保護膜４の表面４１が反射膜３の裏面３２に接している。保護膜４としては、樹脂からなるものが好適に用いられる。保護膜４は、反射膜３の裏面３２の全面にわたって設けられるのが好ましいが、必ずしも全面にわたって設けられなくてもよい。また、保護膜４の材質は樹脂に限定されず、公知の保護膜としての材質が適宜利用可能である。また、保護膜４の厚みは特に限定されない。保護膜４の裏面４２は、鏡１の裏面側に露出している。
【００１７】
上述のように、鏡１は、ガラス基材２、反射膜３及び保護膜４を厚み方向に積層して形成されている。
【００１８】
図１Ａにおいて、鏡１は正面視矩形状をしており、正面視の左下隅に透光部５が設けられている。透光部５は、反射膜３及び保護膜４に形成された複数の（多数の）微細な透光用の貫通孔５１を備える。透光用の貫通孔５１は、反射膜３及び保護膜４を除去した、所謂銀抜き部で形成されている。銀抜き部は、反射膜３及び保護膜４が存在しない空洞であり、反射膜３及び保護膜４の厚み方向に沿って形成される。なお、以降、透光用の貫通孔は、単に貫通孔と略称する。
【００１９】
本実施形態の貫通孔５１は、鏡１の厚み方向を軸方向とする円柱状に形成されており、反射膜３の表面３１に円形の第１開口５１１が形成され、保護膜４の裏面４２に円形の第２開口５１２が形成されている。すなわち、貫通孔５１は、鏡１の厚み方向の両端に円形の第１開口５１１及び第２開口５１２をそれぞれ備えており、第１開口５１１は、ガラス基材２の裏面２２によって閉塞されており、第２開口５１２は、鏡１の裏面側に開放している。
【００２０】
貫通孔５１は円柱状であり、第１開口５１１の直径は貫通孔５１の直径に等しい。そして、第１開口５１１の直径は、第１開口５１１の幅寸法Ｌ１に相当している。幅寸法Ｌ１は、反射膜３の表面３１に沿った一方向（ここでは第１開口５１１の直径の方向）の寸法である。本実施形態において、幅寸法Ｌ１は、０．０１［ｍｍ］以上、１［ｍｍ］以下の範囲内に設定されている。
【００２１】
このような貫通孔５１は、反射膜３の表面３１側と保護膜４の裏面４２側との間に光が通過する経路（光経路）を形成している。そして、ガラス基材２は透光性を有しており、鏡１の表面側から透光部５に入射した光は、ガラス基材２及び貫通孔５１を通って鏡１の裏面側に出射する。また、鏡１の裏面側から透光部５に入射した光は、貫通孔５１及びガラス基材２を通って鏡１の表面側に出射する。
【００２２】
本実施形態において、透光部５の裏面側には点灯部６が配置されている（図１Ｂ参照）。点灯部６は、ＬＥＤ（Light Emitting Diode）等の発光素子を備えており、点灯及び消灯を切り換えることができる。点灯部６が点灯したとき、透光部５を通過した可視光が鏡１の表面側より見えて、照明または何らかの表示として使用者が認識することができる。例えば、点灯部６として、ＬＥＤの発光によって鏡１の表面側に可視光を照射する照明装置が用いられた場合、透光部５は発光面として機能する。また、点灯部６として、セグメントＬＥＤの発光によってメッセージ、現在時刻などを表示する表示装置が用いられた場合、透光部５はメッセージ、現在時刻などが浮かび上がる表示面として機能する。
【００２３】
図１Ａでは、複数の貫通孔５１が矩形状に配置されており、透光部５は矩形状に形成されている。そして、図３Ａは、透光部５を含む反射膜３の一部を示す正面図であり、図３Ｂは、透光部５の一部領域５０（図３Ａ参照）を示す正面図である。図３Ａ及び図３Ｂでは、複数の貫通孔５１が格子状に規則的に並べられており、左右方向に一列に並べられた所定数の貫通孔５１が１つの列を構成し、複数の列が上下方向に並べられている。
【００２４】
すなわち、複数の貫通孔５１の第１開口５１１（複数の第１開口５１１）は、反射膜３の表面３１において矩形状に配置されている。そして、第１開口５１１の直径（第１開口５１１の幅寸法Ｌ１）は、０．０１［ｍｍ］以上かつ１［ｍｍ］以下の範囲内に設定されている。
【００２５】
さらに、複数の第１開口５１１のそれぞれは、反射膜３の表面３１において、隣り合う第１開口５１１との離間距離Ｗが０．０１［ｍｍ］以上かつ２［ｍｍ］以下になるように配置されている。すなわち、複数の第１開口５１１のうち隣り合う２つの第１開口５１１の離間距離Ｗは、０．０１［ｍｍ］以上かつ２［ｍｍ］以下の範囲に収まっており、表面３１における第１開口５１１の密度は、離間距離Ｗによって決まる。
【００２６】
そして、点灯部６が点灯しているとき、点灯部６から発せられて貫通孔５１の第２開口５１２に入射した光は、貫通孔５１の内部を通って第１開口５１１から貫通孔５１外に出て、ガラス基材２を通って鏡１の表面側から出射する。このとき、１つの第１開口５１１から出射する光量は比較的少ない。しかしながら、透光部５は多数の第１開口５１１を備えており、隣り合う２つの第１開口５１１の離間距離Ｗは、０．０１［ｍｍ］以上かつ２［ｍｍ］以下の範囲に収まっている。すなわち、反射膜３の表面３１における第１開口５１１の密度は、透光部５（複数の第１開口５１１）を通る光が使用者に認識される程度に十分な光量及び輝度となるように設定されている。したがって、点灯部６が点灯しているとき、反射膜３の表面３１において透光部５から出射する光は、鏡１の表面側に存在する使用者が認識できる程度に十分な光量及び輝度になる。
【００２７】
また、点灯部６が消灯しているとき、点灯部６の光が第１開口５１１から出射することはない。そして、貫通孔５１の第１開口５１１の直径（幅寸法Ｌ１）は、使用者から見て第１開口５１１が目立ちにくくなる値に設定されている。具体的に、第１開口５１１の直径は、０．０１［ｍｍ］以上、１［ｍｍ］以下の範囲内に設定されている。したがって、光を出射しない第１開口５１１は、鏡１の表面側に存在する使用者に認識されることが困難な程度に、反射膜３の表面３１において微小な点となる。この結果、点灯部６が消灯しているとき、透光部５（複数の第１開口５１１）は、反射膜３の表面３１において目立たなくなり、透光部５の鏡面としての機能は、透光部５が形成されていない反射膜３の表面３１とほぼ同等になる。
【００２８】
上述のように、鏡１は、正面視の一部に透光部５を設けている。透光部５は、正面視において反射膜３及び保護膜４を除去した複数の貫通孔５１（複数の銀抜き部）を備えており、複数の貫通孔５１は離散的に配置されている。この結果、透光部５は、擬似的なハーフミラーとして機能し、かつ点灯部６が消灯しているときに目立ちにくく、高い隠蔽性を有している。すなわち、鏡１は、光透過性を有する透光部５を目立ちにくくして、透光部５の鏡面としての機能を確保することができる。
【００２９】
具体的に、鏡１の正面視において、貫通孔５１以外の領域には反射膜３が残っているため、透光部５は、周囲の領域と比較しても違和感の少ない自然な鏡面を実現可能な擬似的なハーフミラーとして機能する。したがって、比較的大きな１つの貫通孔（比較的大きな１つの銀抜き部）で透光部を形成した従来技術、及び一部の光を反射させて残りの光を透過させるハーフミラーフィルムで透光部を構成した従来技術に比べて、鏡１は意匠性を高めることができる。
【００３０】
また、化粧時等に用いられる鏡には鏡としての高い品質が求められるため、透光部５による鏡品質の劣化は抑えられなければならない。本実施形態の鏡１は、透光部５が自然な鏡面として機能するので、透光部５を備えながらも、鏡としての主な品質（虚像の色味、明るさ、形状など）の低下を抑制できる。特に、複数の貫通孔５１を有する透光部５は、ハーフミラーフィルムで透光部を構成した従来技術に比べて、虚像の色味が優れている。さらに、鏡１では、正面視の一部のみに透光部５が形成されているため、透光部５以外の部分を化粧時に利用できる。
【００３１】
また、透光部５を複数の貫通孔５１で構成した場合、透光部５の製作は比較的容易であり、低コストで任意の箇所に透光部５を形成できる。一方、正面視の一部をハーフミラーフィルムにすると、製作工程が非常に複雑になり、コストアップにつながってしまう。この結果、一般的に、ハーフミラーフィルムを用いる場合、鏡の正面視の全面にハーフミラーフィルムが形成されている。
【００３２】
また、ガラス基材２、反射膜３、及び保護膜４を備える周知の鏡に対して反射膜３及び保護膜４の除去処理を施すだけで、任意形状の擬似的なハーフミラーとして機能する透光部５が形成されるので、鏡１の低コスト化及び汎用化を図ることができる。なお、透光部５の擬似的なハーフミラーとしての透光率（平均透光率）は、表面３１の透光部５における第１開口５１１の総面積と第１開口５１１以外の面積との比率によって決定される。
【００３３】
また、隣り合う２つの第１開口５１１の離間距離Ｗは、０．０１［ｍｍ］以上かつ２［ｍｍ］以下の範囲に収まっているので、透光部５の隠蔽性を確保しながら、透光部５を通過する光の総光量を十分に確保することができる。
【００３４】
なお、透光部５を通過する光の総光量は、第１開口５１１の幅寸法Ｌ１と離間距離Ｗとの組み合わせによって規定される。一般に、幅寸法Ｌ１及び離間距離Ｗが可視光の波長に近づくにつれて、幾何光学（光線）的な振る舞いが弱まり、散乱性（ミー散乱）が強くなる。したがって、幅寸法Ｌ１及び離間距離Ｗが小さくなりすぎると、透光部５が散乱面のように白くなりやすくなる。
【００３５】
そこで、本実施形態では、散乱の影響を受けにくいように幅寸法Ｌ１の下限値を０．０１［ｍｍ］に設定している。具体的に、可視光の波長の上限は１［μｍ］程度であるので、１［μｍ］の１０倍である０．０１［ｍｍ］を、幅寸法Ｌ１の下限値としている。
【００３６】
なお、透光部５の透光率が５−５０［％］（透光部５の反射率が５０−９５［％］）になるように、幅寸法Ｌ１及び離間距離Ｗの各値（幅寸法Ｌ１と離間距離Ｗとの組み合わせ）が設定されることが好ましい。
【００３７】
また、所定の対象を検出するセンサ、または光信号を受信する受信装置を、点灯部６の代わりに透光部５の裏面側に配置してもよい。センサは、鏡１の表面側へ光（赤外線、または可視光など）を照射し、その反射光を受信して鏡１の表面側に存在する使用者の動きを検知する動きセンサ、または赤外線を受信して鏡１の表面側に存在する使用者を検知する人感センサなどである。センサの検知結果に応じて点灯部６の点灯、消灯が切り換えられてもよい。また、受信装置は、リモートコントローラなどから、対象機器を制御するための光信号（赤外線、または可視光など）を受信する。
【００３８】
この場合、透光部５を通過する光は、動きセンサ、人感センサ、受信装置が機能するために十分な光量になる。また、上記同様に、透光部５は、反射膜３の表面３１において目立たないので、透光部５の鏡面部としての機能は、透光部５が形成されていない反射膜３の表面３１とほぼ同等になる。すなわち、鏡１は、透光部５の光透過性を確保し、かつ透光部５を目立ちにくくして透光部５の鏡面としての機能を確保することができる。
【００３９】
次に、図４Ａ、図４Ｂは、透光部５における第１開口５１１（貫通孔５１）の配置に関する第１変形例をそれぞれ示す。図４Ａでは、左右方向に一列に並べられた所定数の第１開口５１１（貫通孔５１）が１つの列を構成し、複数の列が上下方向に並べられている。そして、上下方向に隣り合う一対の列では、第１開口５１１（貫通孔５１）が千鳥状に規則的に配置されている。図４Ｂでは、複数の第１開口５１１（貫通孔５１）が不規則に配置されている。
【００４０】
また、図５に示す第２変形例のように、複数の第１開口５１１は、反射膜３の表面３１において文字、記号、または図形などの所定形状となるように配置されてもよい。例えば、文字は、アルファベット、ひらがな、カタカナ、漢字、数字などであり、記号は、各種のアイコン、インデックス、シンボル、ピクトグラムなどであり、図形は、円形、三角形、四角形などである。この結果、点灯部６が点灯した場合、透光部５から出射される光が文字、記号、図形のいずれかを表す。したがって、鏡１は、遮光銘板を備えなくても、点灯部６を点灯させるだけで、鏡１の表面に文字、記号、図形を表示することができ、通知、指示、報知などのメッセージを使用者に伝えることができる。また、透光部５の面積をより小さくすることができるので、透光部５がより目立たなくなり、透光部５の隠蔽性が向上する。
【００４１】
また、第３変形例として、透光部５が備える複数の第１開口５１１は、所定形状の輪郭（外形線）に沿って配置されてもよい。
【００４２】
例えば、図６Ａに示すように、透光部５が備える複数の第１開口５１１は、２つ以上の外側開口５１１ａと、２つ以上の内側開口５１１ｂとで構成されている。外側開口５１１ａは、文字、記号、または図形などの所定形状の輪郭（外形線）に沿って並んで配置されている。内側開口５１１ｂは、外側開口５１１ａによって形成されている輪郭の内部に配置されている。
【００４３】
そして、外側開口５１１ａのそれぞれは、反射膜３の表面３１において、隣り合う第１開口５１１ａとの離間距離Ｗが０．０１［ｍｍ］以上かつ５［ｍｍ］以下の範囲に収まるように配置されることが好ましい。すなわち、隣り合う２つの第１開口５１１ａの離間距離Ｗは、０．０１［ｍｍ］以上かつ５［ｍｍ］以下に設定されている。この場合、外側開口５１１ａが所定形状の輪郭に沿って配置されており、所定形状の輪郭が明確になって、発光している透光部５の意匠性が向上する。また、外側開口５１１ａは輪郭に沿って配置されるので、離間距離Ｗが５［ｍｍ］であっても人は所定形状を想像しやすくなる。
【００４４】
さらに、内側開口５１１ｂのそれぞれは、反射膜３の表面３１において、隣り合う内側開口５１１ｂとの離間距離Ｗが０．０１［ｍｍ］以上かつ２［ｍｍ］以下の範囲に収まるように配置されることが好ましい。すなわち、隣り合う２つの内側開口５１１ｂの離間距離Ｗは、０．０１［ｍｍ］以上かつ２［ｍｍ］以下に設定されている。
【００４５】
また、図６Ｂに示すように、透光部５が備える複数の第１開口５１１は、表示する所定形状の輪郭（外形線）のみに沿って配置されてもよい。この場合、第１開口５１１のそれぞれは、反射膜３の表面３１において、隣り合う第１開口５１１との離間距離Ｗが０．０１［ｍｍ］以上かつ５［ｍｍ］以下の範囲に収まるように配置されることが好ましい。そして、透光部５が備える全ての第１開口５１１が所定形状の輪郭に沿って配置されており、所定形状の輪郭が明確になって、発光している透光部５の意匠性が向上し、かつ透光部５がより目立たなくなり、透光部５の隠蔽性が向上する。
【００４６】
また、図７Ａ、図７Ｂは、透光部５が備える透光用の貫通孔（第１開口）の形状に関する第４変形例をそれぞれ示す。
【００４７】
図７Ａの透光部５は、複数の透光用の貫通孔５２を備える。貫通孔５２は、鏡１の厚み方向を軸方向とする楕円柱状に形成されており、反射膜３の表面３１に楕円形の第１開口５２１が形成され、保護膜４の裏面４２にも楕円形の第２開口が形成されている。貫通孔５２は楕円柱状であり、第１開口５２１の短径は貫通孔５２の短径に等しい。そして、第１開口５２１の短径は、第１開口５２１の幅寸法Ｌ１に相当しており、０．０１［ｍｍ］以上、１［ｍｍ］以下の範囲内に設定されている。さらに、隣り合う２つの第１開口５２１の離間距離Ｗは、０．０１［ｍｍ］以上かつ２［ｍｍ］以下の範囲に収まっている。
【００４８】
なお、図７Ａにおいて、複数の貫通孔５２は規則的に格子状に配置されている。しかしながら、複数の貫通孔５２の配置形態は、上述の離間距離Ｗが０．０１［ｍｍ］以上かつ２［ｍｍ］以下の範囲に収まっていれば、千鳥状に配置、あるいは不規則に配置されてもよく、特定の配置形態に限定されない。
【００４９】
図７Ｂの透光部５は、複数の直線形状の透光用の貫通孔５３を備える。貫通孔５３は、矩形体の形状に形成されており、反射膜３の表面３１に矩形の第１開口５３１が形成され、保護膜４の裏面４２にも矩形の第２開口が形成されている。貫通孔５３は矩形体の形状であり、第１開口５３１の短手方向の寸法は貫通孔５３の短手方向の寸法に等しい。そして、第１開口５３１の短手方向の寸法は、第１開口５３１の幅寸法Ｌ１に相当しており、０．０１［ｍｍ］以上、１［ｍｍ］以下の範囲内に設定されている。さらに、隣り合う２つの第１開口５３１の離間距離Ｗは０．０１［ｍｍ］以上かつ２［ｍｍ］以下の範囲に収まっている。
【００５０】
なお、図７Ｂにおいて、複数の貫通孔５３は左右方向に等間隔で並んで規則的に配置されている。しかしながら、複数の貫通孔５３の配置形態は、上述の離間距離Ｗが０．０１［ｍｍ］以上かつ２［ｍｍ］以下の範囲に収まっていれば、不規則に配置されてもよく、特定の配置形態に限定されない。
【００５１】
また、第１開口の形状は、円形、楕円形、矩形以外であってもよい。すなわち、第１開口は、幅寸法Ｌ１が０．０１［ｍｍ］以上、１［ｍｍ］以下の範囲内に設定されていればよく、第１開口は特定の形状に限定されない。
【００５２】
また、第５変形例として、透光部５は、形状が互いに異なる複数の第１開口を備えてもよい。例えば、図６Ｃに示すように、透光部５は、表示する所定形状の内側に円形の第１開口５１１を形成し、所定形状の輪郭（外形線）に沿って線状（直線状または曲線状）の第１開口５４１を形成してもよい。この場合、所定形状の輪郭がより明確になって、発光している透光部５の意匠性がより向上する。
【００５３】
次に、図８は、透光部５の構造に関する第６変形例を示す。
【００５４】
上述の実施形態において透光用の貫通孔５１の内部は空洞であり、反射膜３の端面（エッジ）が貫通孔５１の側面に露出しているために、反射膜３の端面に錆などが発生して腐食の要因になる可能性がある。そこで、図８に示すように、保護膜４の裏面４２側に透光性の透明または半透明の保護膜７をさらに形成して、貫通孔５１の内部に保護膜７を形成することが好ましい。この場合、貫通孔５１に透光性の保護膜７が充填されており、貫通孔５１の内部の空洞をなくして空気を排出することができる。したがって、反射膜３の端面が保護膜７に覆われているので、腐食の発生が抑えられる。なお、透光性の保護膜７は、他の変形例にも適用可能である。
【００５５】
また、図９に示す第７変形例では、鏡１は、複数の透光部５を備えている。複数の透光部５のそれぞれの透光率は、第１開口の形状（透光用の貫通孔の形状）、幅寸法Ｌ１、離間距離Ｗなどによって、個別に設定可能である。すなわち、複数の透光部５のそれぞれの目的に応じて、複数の透光部５のそれぞれの透光率が個別に設定される。
【００５６】
例えば、鏡１の表面側へ可視光を発する発光面または表示面としての透光部５、センサが送信または受信する光が通過する送信面または受信面としての透光部５、リモートコントローラから赤外線などの光信号が入射される受光面としての透光部５などのそれぞれに対して、透光部５の各用途に適した透過率を透光部５毎に設定することができる。
【００５７】
また、複数の透光部５のそれぞれの目的に応じて、複数の透光部５のそれぞれの配光特性を個別に設定することも可能である。
【００５８】
貫通孔５１，５２，５３などの透光用の貫通孔を鏡１に形成する方法としては、ガラス基材２に反射膜３及び保護膜４を形成する製造工程において、貫通孔５１，５２，５３となる部分に反射膜３及び保護膜４が形成されないようにする方法を採用してもよい。このような方法としては、例えば、ガラス基材２に反射膜３及び保護膜４を形成する際に、貫通孔５１，５２，５３となる部分にマスキングを施して反射膜３及び保護膜４が形成されないようにするマスキング法が採用可能である。マスキング法を採用する場合、貫通孔５１，５２，５３に面するガラス基材２の裏面２２を、荒れのない平坦面にしやすい。このように貫通孔５１，５２，５３となる部分に反射膜３及び保護膜４が形成されないようにする方法を採用する場合、鏡１を形成する工程の中に、貫通孔５１，５２，５３を形成する工程が含まれることになる。
【００５９】
また、ガラス基材２に反射膜３及び保護膜４を形成した後に、レーザ加工、ブラスト加工、エッチング加工、または機械加工（切削刃または研削刃等による加工）などによって透光用の貫通孔５１，５２，５３を形成してもよい。この方法では、市販の鏡に対してレーザ加工、ブラスト加工、エッチング加工、または機械加工などを施すことで透光用の貫通孔５１，５２，５３を形成できるので、鏡１の製造コストを抑制できる。
【００６０】
また、実施形態の構成に対して、変形例１−７のうちいずれか２つ以上の変形例を組み合わせることも可能である。
【００６１】
以上のように、実施形態に係る第１の態様の鏡１は、ガラス基材２と、反射膜３と、保護膜４と、１つ以上の透光部５とを備える。反射膜３は、ガラス基材２の裏面２２に設けられている。保護膜４は、反射膜３の裏面３２に設けられている。透光部５は、反射膜３の表面３１側と保護膜４の裏面４２側との間に光が通過する経路を形成する。１つ以上の透光部５は、反射膜３及び保護膜４に厚み方向に沿って形成された複数の貫通孔５１，５２，５３を有する。反射膜３の表面３１には複数の貫通孔５１，５２，５３のそれぞれの第１開口５１１，５２１，５３１（開口）が形成されている。そして、複数の第１開口５１１，５２１，５３１の反射膜３の表面３１に沿った一方向の寸法である幅寸法Ｌ１がそれぞれ０．０１［ｍｍ］以上、１［ｍｍ］以下の範囲内に設定されている。
【００６２】
上述の鏡１は、正面視の一部に透光部５を設けている。透光部５は、反射膜３及び保護膜４を除去した複数の貫通孔５１，５２，５３（複数の銀抜き部）を備えており、複数の貫通孔５１，５２，５３（第１開口５１１，５２１，５３１，５４１）は離散的に配置されている。この結果、透光部５は、擬似的なハーフミラーとして機能し、かつ目立ちにくく、高い隠蔽性を有している。すなわち、鏡１は、透光部５の光透過性を確保し、かつ透光部５を目立ちにくくして透光部５の鏡面としての機能を確保することができる。
【００６３】
また、実施形態に係る第２の態様の鏡１では、第１の態様において、複数の第１開口のうち少なくとも１つの第１開口５１１は円形状であり、幅寸法Ｌ１は第１開口５１１の直径であることが好ましい。
【００６４】
上述の鏡１は、透光部５（複数の第１開口５１１）は、反射膜３の表面３１において目立たなくなり、透光部５の鏡面としての機能は、透光部５が形成されていない反射膜３の表面３１とほぼ同等になる。
【００６５】
また、実施形態に係る第３の態様の鏡１では、第１または第２の態様のいずれか１つにおいて、複数の第１開口のうち少なくとも１つの第１開口５２１は楕円形状であり、幅寸法Ｌ１は第１開口５２１の短径であることが好ましい。
【００６６】
上述の鏡１は、透光部５（複数の第１開口５２１）は、反射膜３の表面３１において目立たなくなり、透光部５の鏡面としての機能は、透光部５が形成されていない反射膜３の表面３１とほぼ同等になる。
【００６７】
また、実施形態に係る第４の態様の鏡１では、第１乃至第３の態様のいずれか１つにおいて、複数の開口のうち少なくとも１つの第１開口５３１，５４１は線形状であり、幅寸法Ｌ１は第１開口５３１，５４１の線幅であることが好ましい。
【００６８】
上述の鏡１は、透光部５（複数の第１開口５３１，５４１）は、反射膜３の表面３１において目立たなくなり、透光部５の鏡面としての機能は、透光部５が形成されていない反射膜３の表面３１とほぼ同等になる。
【００６９】
また、実施形態に係る第５の態様の鏡１では、第１乃至第４の態様のいずれか１つにおいて、複数の第１開口５１１，５２１，５３１，５４１は、反射膜３の表面３１において、１つ以上の文字、記号、図形のいずれかを表す所定形状となるように配置されていることが好ましい。
【００７０】
上述の鏡１は、遮光銘板を備えなくても、鏡１の表面に文字、記号、図形を表示することができ、通知、指示、報知などのメッセージを使用者に伝えることができる。また、透光部５の面積をより小さくすることができるので、透光部５がより目立たなくなり、透光部５の隠蔽性が向上する。
【００７１】
また、実施形態に係る第６の態様の鏡１では、第１乃至第５の態様のいずれか１つにおいて、複数の第１開口５１１，５２１，５３１，５４１のうち隣り合う２つの第１開口の離間距離Ｗは、０．０１［ｍｍ］以上かつ２［ｍｍ］以下の範囲内に設定されていることが好ましい。
【００７２】
上述の鏡１は、透光部５の隠蔽性を確保しながら、透光部５を通過する光の総光量を十分に確保することができる。
【００７３】
また、実施形態に係る第７の態様の鏡１では、第５の態様において、複数の開口は、２つ以上の外側開口５１１ａと２つ以上の内側開口５１１ｂとで構成されていることが好ましい。２つ以上の外側開口５１１ａは、所定形状の輪郭に沿って並んで配置されており、２つ以上の内側開口５１１ｂは、輪郭の内部に配置されている。２つ以上の外側開口５１１ａのうち隣り合う２つの外側開口５１１ａの離間距離は、０．０１［ｍｍ］以上かつ５［ｍｍ］以下の範囲内に設定されている。また、２つ以上の内側開口５１１ｂのうち隣り合う２つの内側開口５１１ｂの離間距離は、０．０１［ｍｍ］以上かつ２［ｍｍ］以下の範囲内に設定されている。
【００７４】
上述の鏡１は、文字、記号、図形のいずれかを表す所定形状の輪郭が明確になって、発光している透光部５の意匠性が向上する。
【００７５】
また、実施形態に係る第８の態様の鏡１では、第５の態様において、複数の第１開口５１１，５２１，５３１は、所定形状の輪郭に沿って並んで配置されている。そして、複数の第１開口５１１，５２１，５３１のうち隣り合う２つの第１開口の離間距離は、０．０１［ｍｍ］以上かつ５［ｍｍ］以下の範囲内に設定されていることが好ましい。
【００７６】
上述の鏡１は、文字、記号、図形のいずれかを表す所定形状の輪郭が明確になって、発光している透光部５の意匠性が向上し、かつ透光部５がより目立たなくなり、透光部５の隠蔽性が向上する。
【００７７】
また、実施形態に係る第９の態様の鏡１では、第１乃至第８の態様のいずれか１つにおいて、１つ以上の透光部は、複数の透光部５であることが好ましい。この場合、複数の透光部５は、透光率が互いに異なるように形成されている。
【００７８】
上述の鏡１は、複数の透光部５のそれぞれの目的に応じて、複数の透光部５のそれぞれの透光率を個別に設定することができる。
【００７９】
また、上述の実施形態及び変形例は本発明の一例である。このため、本発明は、上述の実施形態及び変形例に限定されることはなく、この実施形態及び変形例以外であっても、本発明に係る技術的思想を逸脱しない範囲であれば、設計等に応じて種々の変更が可能であることは勿論である。
【符号の説明】
【００８０】
１  鏡
２  ガラス基材
２１  表面
２２  裏面
３  反射膜
３１  表面
３２  裏面
４  保護膜
４１  表面
４２  裏面
５  透光部
５１，５２，５３  透光用の貫通孔
５１１，５２１，５３１，５４１  第１開口（開口）
５１１ａ  外側開口（開口）
５１１ｂ  内側開口（開口）
Ｌ１  幅寸法
Ｗ  離間距離
【図１】
2019017559.tif 000003
【図２】
2019017559.tif 000004
【図３】
2019017559.tif 000005
【図４】
2019017559.tif 000006
【図５】
2019017559.tif 000007
【図６】
2019017559.tif 000008
【図７】
2019017559.tif 000009
【図８】
2019017559.tif 000010
【図９】
2019017559.tif 000011